(57)【要約】【課題】  ＧＰＳ測位アシストサーバと制御局との間の回線数を削減し、ネットワークリソースを効率的に利用する。【解決手段】  Ａ（Ａｓｓｉｓｔｅｄ）−ＧＰＳ測位方式を実現するために必要となるアシストデータを作成するＧＰＳ測位アシストサーバ１と、アシストデータを受信して該アシストデータをクライアント端末５に送信する制御局２と備え、ＧＰＳ測位アシストサーバ１と制御局２との間に制御局２を集約してサービスの呼制御を行なう中継サーバ３を備え、ＧＰＳ測位アシストサーバ１と制御局２との間の通信を中継サーバ３を介して行なう。中継サーバ３は、アシストデータのカプセリング処理を行なうカプセル化手段を備え、カプセリングプロトコルにアシストデータの要求を受けた制御局を特定するための制御局ＩＤを含ませる。【選択図】      図１
2006071378.tif 000002
【特許請求の範囲】
【請求項１】
Ａ（Ａｓｓｉｓｔｅｄ）−ＧＰＳ測位方式を実現するために必要となるアシストデータを作成するＧＰＳ測位アシストサーバと、前記ＧＰＳ測位アシストサーバから前記アシストデータを受信して該アシストデータをクライアント端末に送信する制御局と備えたアシストデータ送信システムであって、
前記ＧＰＳ測位アシストサーバと前記制御局との間に前記制御局を集約してサービスの呼制御を行なう中継サーバを備え、前記ＧＰＳ測位アシストサーバと前記制御局との間の通信を前記中継サーバを介して行なうことを特徴とするアシストデータ送信システム。
【請求項２】
請求項１記載のアシストデータ送信システムに用いられる中継サーバであって、
前記アシストデータのカプセリング処理を行なうカプセル化手段を備えたことを特徴とする中継サーバ。
【請求項３】
請求項２記載のアシストデータ送信システムに用いられる中継サーバであって、
前記カプセル化手段は、前記アシストデータのカプセリング処理を行なう際に使用するカプセリングプロトコルに前記アシストデータの要求を受けた制御局を特定するための制御局ＩＤを含ませることを特徴とする中継サーバ。
【請求項４】
Ａ（Ａｓｓｉｓｔｅｄ）−ＧＰＳ測位方式を実現するために必要となるアシストデータをＧＰＳ測位アシストサーバにおいて作成し、該アシストデータをＧＰＳアシストデータ要求機器から要求された際に該ＧＰＳアシストデータ要求機器に送信するアシストデータ送信方法であって、
前記ＧＰＳ測位アシストサーバと前記ＧＰＳアシストデータ要求機器との間に当該ＧＰＳアシストデータ要求機器を集約してサービスの呼制御を行なう中継サーバを配置し、前記ＧＰＳ測位アシストサーバと前記制御局との間の通信を前記中継サーバを介して行なうことを特徴とするアシストデータ送信方法。
【発明の詳細な説明】
【技術分野】
【０００１】
本発明は、Ａ−ＧＰＳ（Ａｓｓｉｓｔｅｄ−ＧＰＳ）測位方式である移動機側で測位演算を行なうＵＥ−Ｂａｓｅｄ方式およびネットワーク側で測位演算を行なうＵＥ−Ａｓｓｉｓｔｅｄ方式において、ＧＰＳ測位アシストサーバから制御局経由で通信端末へ送信するアシストデータ送信システム及びアシストデータ送信方法並びに中継サーバに関する。
【背景技術】
【０００２】
地球を周回するＧＰＳ衛星から擬似雑音符号化して発信されているＧＰＳ信号を受信し、ＧＰＳ信号の地上への到達時間、ＧＰＳ信号に含まれる時刻情報や航法メッセージを解読して地球上の位置情報を正確に測位するＧＰＳ位置検出システムが開発されている。
このようなＧＰＳ位置検出システムでは、可視空間を周回している少なくとも４つのＧＰＳ衛星を捕捉してＧＰＳ信号を解読する。しかしながら、周回衛星を単独で捕捉し、捕捉したＧＰＳ信号を解読するには相当な時間を要する。そのため、ＧＰＳ信号を受信したＧＰＳ基準局が得た航法メッセージを、予めアシストデータとしてＧＰＳ測位アシストサーバに蓄えておき、ＧＰＳ測位演算を行おうとする通信端末から要求があった際に、このアシストデータを通信端末に送り、通信端末は、この送信されたアシストデータによって情報を補足してＧＰＳ測位演算を行うという方法が開発されている。
【０００３】
このようなＡ−ＧＰＳ（Ａｓｓｉｓｔｅｄ−ＧＰＳ）測位方式のＧＰＳ位置検出システムにおいては、従来、通信端末から要求があると、ＧＰＳ測位アシストサーバに蓄えられた全てのアシストデータを通信端末に送信している。しかしながら、この測位システムでは、端末装置の保持者の移動軌跡を把握するためには、上記位置情報を求める一連の処理を定期的に繰り返し実行する必要があるので、基地局データベースへの問い合わせの時間ないし接続回数が大きな値となり、通信費が嵩むという問題があった。特に、端末装置の保持者が同一の基地局の通信エリア内にいるにも関わらず、上記一連の処理を定期的に繰り返し実行すると、通信費を無駄に費やしてしまうことになる。また、システムによっては利用料金が発生する場合もあり、この場合、全体の通信費が益々増大することになる。さらに輻輳の原因ともなり得る。また、回線数は制御局の数だけ必要であるが、実際には制御局は多数存在し、その個々の制御局に対してＧＰＳ測位アシストサーバが、何度も回線を接続しなければならないので、輻輳の原因ともなり、ネットワークリソースを無駄にしているという問題があった。
【０００４】
図４は、従来技術によるアシストデータ送信イメージを示す概略図である。
同図に示すように、ＳＡＳ（Ｓｔａｎｄ  Ａｌｏｎｅ  ＳＭＬＣ）などのＧＰＳ測位アシストサーバ１は、制御局２から測位要求があるとアシストデータを送信する。アシストデータを受け取った制御局２は、測位要求を行なったクライアント端末５に対して当該アシストデータを送信する。ＣＮノード４は、中継サーバ３を介して制御局２のサービスの呼制御を行なう。
【０００５】
図５は、従来技術におけるネットワークリソースイメージを示す図である。
従来、アシストデータを利用するサービスにおいては、ＵＥ〜ＵＴＲＡＮ〜ＳＡＳ（アシストデータ送信）、ＵＥ〜ＵＴＲＡＮ〜ＣＮ（サービス呼制御）と２つのルートが必要となるため、ＵＴＲＡＮ（多数の制御局）からＳＡＳ１への制御局数分の接続が新規に必要であり、回線数が膨大となるという問題があった。ＳＡＳは、制御局数分の回線を必要とする。
【０００６】
また、特許文献１には、ＧＰＳアシスト情報の提供方法が記載されている。この方法は、ネットワーク上に設置したサーバから、通信可能な基地局の位置を概略位置情報として通信端末器に提供して、ＧＰＳ測位の為に必要な周回衛星の捕捉を迅速にするものである。ＧＰＳ測位アシストサーバは、通信端末器が通信可能な基地局の識別情報をキー情報として、それぞれの基地局に応じた概略位置情報を予め保存している概略位置情報データベースを備え、通信端末器が通信時に取得した基地局の識別情報を指定した、所定のＧＰＳアシスト情報の要求があったときには、概略位置情報データベースから、該当する基地局の識別情報に対応して保存されている概略位置情報を検索して、通信端末器にアシストデータとして返信する。そして、アクセスしてきた通信端末器から測位情報を受信し、概略位置情報としてデータベースに保存する発明である。
【０００７】
また、特許文献２には、アクセス端末が位置情報の登録をせずに情報を発信または閲覧する情報ネットワークサービスシステムが記載されている。このシステムは、全地域共通のアクセスコードを持つサービス提供局を設置し、アクセス端末の位置に対応した地域交換局を介し、アクセス端末からアクセスがあった交換局にて、交換局に付与された情報に基づき、基地局サーバを決定し、当該基地局サーバとアクセス端末のコネクションを確立させ、基地局サーバ内のデータベースに格納されている情報を、確立されたコネクション上で、アクセス端末からアクセスすることにより、当該地域内に損じするアクセス端末同士での基地局サーバ内の情報を交換する発明である。
【特許文献１】特開２００２―１９５８４６号公報
【特許文献２】特開２００２−３４５０２９号公報
【発明の開示】
【発明が解決しようとする課題】
【０００８】
しかしながら、上述した従来のアシストデータ送信方法においては、ＵＥ〜ＵＴＲＡＮ〜ＳＡＳのアシストデータ送信のルートと、ＵＥ〜ＵＴＲＡＮ〜ＣＮのサービス呼制御のルートとの２つのルートが必要となるため、制御局からＳＡＳへの通信においては、その制御局の数だけの接続が新規に必要となり、回線数が膨大になるという問題があった。
本発明は、上記事情を鑑みてなされたものであって、アシストデータを送信する際、制御局とＧＰＳ測位アシストサーバとの間の回線数を削減し、ネットワークリソースを効率的を図ったアシストデータ送信システム及びアシストデータ送信方法並びに中継サーバを提供することを目的としている。
【課題を解決するための手段】
【０００９】
上記課題を解決するために、本発明のアシストデータ送信システムは、Ａ（Ａｓｓｉｓｔｅｄ）−ＧＰＳ測位方式を実現するために必要となるアシストデータを作成するＧＰＳ測位アシストサーバと、前記ＧＰＳ測位アシストサーバから前記アシストデータを受信して該アシストデータをクライアント端末に送信する制御局と備えたアシストデータ送信システムであって、前記ＧＰＳ測位アシストサーバと前記制御局との間に前記制御局を集約してサービスの呼制御を行なう中継サーバを備え、前記ＧＰＳ測位アシストサーバと前記制御局との間の通信を前記中継サーバを介して行なうことを特徴とする。この構成によれば、ＵＴＲＡＮ（多数の制御局）をサービスの呼制御を行なうＣＮ（少数の中継サーバ）で集約してＳＡＳ（Ｓｔａｎｄ  Ａｌｏｎｅ  ＳＭＬＣ：ＧＰＳ測位アシストサーバ）と接続することで回線数を削減し、ネットワークリソースを効率的を図ることができる。
【００１０】
また、請求項２記載の中継サーバは、請求項１記載のアシストデータ送信システムに用いられる中継サーバであって、前記アシストデータのカプセリング処理を行なうカプセル化手段を備えたことを特徴とする。この構成によれば、アシストデータのカプセル化により中継サーバは、ＵＴＲＡＮ〜ＳＡＳ間のプロトコル（ＰＣＡＰ）に対応する必要は無く、既存ＩＦを流用し、アシストデータのプロトコトル変換によるＣＮ処理負荷の増大を防止することができる。
【００１１】
また、請求項３記載の中継サーバは、請求項２記載のアシストデータ送信システムに用いられる中継サーバであって、前記カプセル化手段は、前記アシストデータのカプセリング処理を行なう際に使用するカプセリングプロトコルに前記アシストデータの要求を受けた制御局を特定するための制御局ＩＤを含ませることを特徴とする。この構成によれば、カプセリングプロトコルにアシストデータの要求を受けた制御局のＩＤを含ませているので、要求を受けた制御局に対して確実にアシストデータを送信することができる。
【００１２】
また、請求項４記載のアシストデータ送信方法は、Ａ（Ａｓｓｉｓｔｅｄ）−ＧＰＳ測位方式を実現するために必要となるアシストデータをＧＰＳ測位アシストサーバにおいて作成し、該アシストデータをＧＰＳアシストデータ要求機器から要求された際に該ＧＰＳアシストデータ要求機器に送信するアシストデータ送信方法であって、前記ＧＰＳ測位アシストサーバと前記ＧＰＳアシストデータ要求機器との間に当該ＧＰＳアシストデータ要求機器を集約してサービスの呼制御を行なう中継サーバを配置し、前記ＧＰＳ測位アシストサーバと前記制御局との間の通信を前記中継サーバを介して行なうことを特徴とする。この構成によれば、ＵＴＲＡＮ（多数の制御局）をサービスの呼制御を行なうＣＮ（少数の中継サーバ）で集約してＳＡＳ（Ｓｔａｎｄ  Ａｌｏｎｅ  ＳＭＬＣ：ＧＰＳ測位アシストサーバ）と接続することで回線数を削減し、ネットワークリソースを効率的を図ることができる。
【発明の効果】
【００１３】
以上説明したように、本発明は、ＵＴＲＡＮ（多数の制御局）をサービスの呼制御を行なうＣＮ（少数の中継サーバ）で集約してＳＡＳ（Ｓｔａｎｄ  Ａｌｏｎｅ  ＳＭＬＣ：ＧＰＳ測位アシストサーバ）と接続することでＳＡＳと各制御局とを直接接続する必要がなくなり、回線数を削減し、ネットワークリソースを効率的を図ることができる。
また、アシストデータ（ＰＣＡＰ）を中継サーバでカプセル化することでＵＴＲＡＮ〜ＳＡＳ間において中継サーバを中継することを意識せずアシストデータ送信が可能となる
さらに、中継サーバがＧＰＳ測位アシストサーバにアシストデータを要求する際には要求を受けた制御局のＩＤをカプセリング用プロトコルに載せることにより、中継サーバが制御局にアシストデータ送信する際に本ＩＤを基にアシストデータの送信が可能となる。
【発明を実施するための最良の形態】
【００１４】
以下、図面を参照して、本発明の実施形態に係るアシストデータ送信システムについて詳細に説明する。
〔第１実施形態〕
図１は、本発明の第１実施形態に係る制御局集約によるアシストデータ送信システムの構成及び動作を示す概略図である。
【００１５】
このシステムは、ＧＰＳ測位アシストサーバ（ＳＡＳ：Ｓｔａｎｄ  Ａｌｏｎｅ  ＳＭＬＣ）１と、制御局（ＵＴＲＡＮ）２と、中継サーバ（ＣＮ：Ｃｏｒｅ  Ｎｅｔｗｏｒｋ）と、クライアント端末（ＬＣＳ  Ｃｌｉｅｎｔ：ＬｏＣａｔｉｏｎ  Ｓｅｒｖｉｃｅ  Ｃｌｉｅｎｔ）５とを備え、複数の制御局２を少数の中継サーバ３により集約したことを特徴とする。
【００１６】
ＧＰＳ測位アシストサーバ１は、ＧＰＳ測位演算を行う際に必要となる複数の衛星それぞれに対応するアシストデータを蓄え、アシストデータ要求機器からアシストデータを要求された際にアシストデータ要求機器に提供するサーバである。
制御局２は、ＵＴＲＡＮ（ＵＭＴＳ  Ｒａｄｉｏ  Ａｃｃｅｓｓ  Ｎｅｔｗｏｒｋ）を使用し、ＧＰＳ測位アシストサーバ１から取得したアシストデータを通信端末６に送信する。
【００１７】
中継サーバ３は、本来のサービス呼制御及びアシストデータの転送（カプセリング化）を実施する。中継サーバ３として、サービスの呼制御を行なうコアネットワーク（ＣＮ：Ｃｏｒｅ  Ｎｅｔｗｏｒｋ）を使用する。
コアネットワーク内のノード（ＣＮノード）４は、交換局、加入者データ、ＨＬＲ，ＳＣＰなどが含まれ、固定端末や他の移動端末との通話路を設定する他、位置登録、一斉呼び出し、ハンドオーバ、追跡接続などの機能を有する。ＣＮノード４の種類としては、ＳＧＳＮ（Ｓｅｒｖｉｎｇ  ＧＲＰＳ（Ｇｅｎｅｒａｌ  Ｐａｃｋｅｔ  Ｒａｄｉｏ  Ｓｅｒｖｉｃｅ）  Ｓｕｐｐｏｒｔ  Ｎｏｄｅ）、ＧＭＬＣ（Ｇａｔｅｗａｙ  Ｍｏｂｉｌｅ  Ｌｏｃａｔｉｏｎ  Ｓｙｓｔｅｍ）などがある。
クライアント端末５は、通常は、ＬＣＳを介してＣＮノード４と接続され、他の固定端末または他の移動端末との通話路が設定される。
【００１８】
次に、このシステムの動作について説明する。
まず、クライアント端末５または通信端末６は、制御局２に対して測位要求を行う（ステップＳ１１）。制御局２は、クライアント端末５または通信端末６から測位要求を受けると中継サーバ３に対してアシストデータ要求を行なう（ステップＳ１２）。中継サーバ３は、このアシストデータ要求をＧＰＳ測位アシストサーバ１に送信する。ＧＰＳ測位アシストサーバ１は、作成し蓄積しているアシストデータを中継サーバ３に送信し（ステップＳ１４）、中継サーバ３は、このアシストデータを制御局２に送信する。そして、制御局２は、通信端末６にアシストデータを送信し、通信端末６での測位結果を測位要求を行ったクライアント端末５または通信端末６に対して送信する。
【００１９】
図２は、本発明の制御局集約によるアシストデータ送信システムにおけるネットワークリソースを示す図である。
同図の横長の帯状の部分は、横方向が時間、縦方向がデータ量を示し、ＧＰＳ測位アシストサーバ１から中継サーバ３までは、１つの回線数によって通信されていることを示す。この１つの回線によって、データａ，ｂ，ｃと３つの制御局用のアシストデータが送信される。ここで、データａの部分が第１の制御局用のアシストデータ、データｂの部分が第２の制御局用のアシストデータ、データｃの部分が第３の制御局用のアシストデータとする。これによると、回線による未使用期間（図のデータｃと次のデータａとの間の空白の部分）が少なく、効率的なネットワークリソースの活用が可能である。なお、アシストデータが中継サーバ３から各制御局２へ送られる際には、制御局と同じ回線数が必要であるが、中継サーバ３は、もともと各制御局２のサービスの呼制御を行なっているので、その負荷は殆ど無視できる。このように、複数の制御局２を少数の中継サーバ３に集約させることにより、回線未使用の期間を短縮させることでネットワークリソースの効率的な活用が可能となる。
【００２０】
〔第２実施形態〕
図３は、本発明の第２実施形態に係る制御局集約によるアシストデータ送信システムの動作を示す概略ブロック図である。
本実施形態は、基本的構成は、図１に示す第１実施形態の構成と同様であるが、アシストデータをカプセリング化用プロトコルに含ませていることを特徴とする。
まず、制御局２が中継サーバ３に対してアシストデータ（ＰＣＡＰ）を要求する（ステップＳ３１）。このアシストデータは、サービス呼制御プロトコル（ＲＡＮＡＰ）に含まれている。次に、中継サーバ３は、ＧＰＳ測位アシストサーバ３に対しアシストデータを要求する（ステップＳ３２）。その際、アシストデータは、カプセル化するためのプロトコルに含まれる。次に、ＧＰＳ測位アシストサーバ１から中継サーバ３に対してアシストデータが送信される（ステップＳ３３）。ＧＰＳ測位アシストサーバ１からアシストデータを受け取った中継サーバ３は、カプセリング用プロトコルから制御局２のＩＤ及びアシストデータ（ＰＣＡＰデータ）を取り出し、そのＩＤに対応した制御局２に対してサービス呼処理プロトコルにアシストデータをカプセリングして送信する（ステップＳ３４）。
【００２１】
本動作により、アシストデータの内容はＧＰＳ測位アシストサーバ１〜制御局２間で変わらず要求した制御局２に対してアシストデータの配信が可能である。
以上、本発明のアシストデータ送信システムについて実施形態に従って説明してきたが、本発明は、この実施形態に限定されず、本発明の趣旨を逸脱しない範囲で種々の変更が可能である。例えば、中継サーバとしてコアネットワークを使用したが、他のネットワーク内のノードを用いることができる。
また、アシストサーバとして、ＧＰＳ測位アシストサーバ１を使用したが、これに限定されず、ＧＰＳ以外の他の測位アシストサーバを用いることもできる。
【図面の簡単な説明】
【００２２】
【図１】本発明の第１実施形態に係るアシストデータ送信システムの構成及び動作を示す概略図である。
【図２】本発明の第１実施形態に係るアシストデータ送信システムによるネットワークリソースを示す概略図である。
【図３】本発明の第２実施形態に係るアシストデータ送信システムの示す概略図である。
【図４】従来例のアシストデータ送信を示す概略図である。
【図５】従来例のアシストデータ送信によるネットワークリソースを示す概略図である。
【符号の説明】
【００２３】
１…ＧＰＳ測位アシストサーバ、２…制御局、３…中継サーバ、４…ＣＮノード、５…クライアント端末、６…通信端末
【図１】
2006071378.tif 000003
【図２】
2006071378.tif 000004
【図３】
2006071378.tif 000005
【図４】
2006071378.tif 000006
【図５】
2006071378.tif 000007